(57)【要約】  【課題】  火災発生時に避難者に適切な避難姿勢を報知でき、避難者を必要以上に負傷させないこと。  【解決手段】  各警戒区域にそれぞれ設けられた火災感知器と音声警報装置とが信号線を介して受信部に接続される火災報知設備において、前記火災感知器は、火災現象に関する物理量を検出し、該検出した物理量に応じたセンサレベルを、前記信号線に送出し、前記音声警報装置は、前記信号線を介して前記火災感知器から送出されたセンサレベルに対応する避難姿勢の音声を出力する。  【選択図】  図１
2005275509.tif 000002
【特許請求の範囲】
【請求項１】
各警戒区域にそれぞれ設けられた火災感知器と音声警報装置とが信号線を介して受信部に接続される火災報知設備において、
前記火災感知器は、火災現象に関する物理量を検出し、該検出した物理量に応じたセンサレベルを、前記信号線に送出し、
前記音声警報装置は、前記信号線を介して前記火災感知器から送出されたセンサレベルに対応する避難姿勢の音声を出力することを特徴とする火災報知設備。
【請求項２】
前記受信部は、前記信号線を介して前記火災感知器から送出されたセンサレベルを受信して、該センサレベルに対応する避難姿勢の音声情報を、前記センサレベルを送出した火災感知器と同一警戒区域の音声警報装置のみに送出し、
前記同一警戒区域の音声警報装置は、前記受信部から送出された避難姿勢の音声情報を受信して、該避難姿勢の音声情報に応じた音声を出力することを特徴とする請求項１記載の火災報知設備。
【請求項３】
前記受信部は、前記避難姿勢の音声情報として避難姿勢のコードを送出し、
前記音声警報装置は、前記信号線を介して、前記避難姿勢のコードを受信する受信回路と；前記避難姿勢のコードに対応して音声データを記憶する音声合成回路と；前記受信部から受信した前記避難姿勢のコードに対応する音声データを、前記音声合成回路から出力させる制御手段と；前記音声合成回路から出力された音声データに応じた音声を出力するスピーカと；を有することを特徴とする請求項２記載の火災報知設備。
【請求項４】
前記音声警報装置は、該音声警報装置と同一警戒区域の火災感知器から送出されたセンサレベルを受信して、該センサレベルに対応する避難姿勢の音声を出力することを特徴とする請求項１記載の火災報知設備。
【発明の詳細な説明】
【技術分野】
【０００１】
本発明は、火災発生時に音声で警報を行う火災報知設備に関する。
【背景技術】
【０００２】
従来の火災報知設備として、各警戒区域に火災感知器と音声警報装置をそれぞれ設け、これらを火災受信機と接続したものが知られている。この火災報知設備は、火災が発生すると任意の音声警報装置が「火災が発生しました。避難してください。」等の音声警報を行って、建物内の人に避難行動を促すようにしている（例えば、特許文献１参照）。
【特許文献１】特開平７−２３０５９３号公報
【発明の開示】
【発明が解決しようとする課題】
【０００３】
火災の発生地点や火災発生からの時間経過により、建物内は各地点で様々な濃度の煙が滞留しているが、避難者は、負傷しないようにかつ素早く非常口にたどり着くように行動しなければならない。しかし、予期せぬ火災発生により、パニックに陥り冷静さを失っている状態であるので、各地点の煙濃度に対応して避難姿勢を適宜変えたりできず、煙に巻かれて必要以上に負傷してしまう。
【０００４】
本発明は、上記課題を解決するためになされたもので、火災発生時に避難者に適切な避難姿勢を報知でき、避難者を必要以上に負傷させないことを目的とする。
【課題を解決するための手段】
【０００５】
本発明は、各警戒区域にそれぞれ設けられた火災感知器と音声警報装置とが信号線を介して受信部に接続される火災報知設備において、前記火災感知器は、火災現象に関する物理量を検出し、該検出した物理量に応じたセンサレベルを、前記信号線に送出し、前記音声警報装置は、前記信号線を介して前記火災感知器から送出されたセンサレベルに対応する避難姿勢の音声を出力することを特徴とする。
【０００６】
また、前記受信部は、前記信号線を介して前記火災感知器から送出されたセンサレベルを受信して、該センサレベルに対応する避難姿勢の音声情報を、前記センサレベルを送出した火災感知器と同一警戒区域の音声警報装置のみに送出し、前記同一警戒区域の音声警報装置は、前記受信部から送出された避難姿勢の音声情報を受信して、該避難姿勢の音声情報に応じた音声を出力することを特徴とする。
【０００７】
また、前記受信部は、前記避難姿勢の音声情報として避難姿勢のコードを送出し、前記音声警報装置は、前記信号線を介して、前記避難姿勢のコードを受信する受信回路と；前記避難姿勢のコードに対応して音声データを記憶する音声合成回路と；前記受信部から受信した前記避難姿勢のコードに対応する音声データを、前記音声合成回路から出力させる制御手段と；前記音声合成回路から出力された音声データに応じた音声を出力するスピーカと；を有することを特徴とする。
【０００８】
また、前記音声警報装置は、該音声警報装置と同一警戒区域の火災感知器から送出されたセンサレベルを受信して、該センサレベルに対応する避難姿勢の音声を出力することを特徴とする。
【発明の効果】
【０００９】
請求項１記載の発明によれば、音声警報装置は、信号線を介して火災感知器から送出されたセンサレベルに対応する避難姿勢の音声を出力するので、音声警報装置は避難姿勢を報知でき、避難者はその音声を聞いて、避難姿勢をとることができ、避難行動時の必要以上の負傷を防止できる。
【００１０】
請求項２記載の発明によれば、受信部は、信号線を介して火災感知器から送出されたセンサレベルを受信して、該センサレベルに対応する避難姿勢の音声情報を、センサレベルを送出した火災感知器と同一警戒区域の音声警報装置のみに送出し、同一警戒区域の音声警報装置は、受信部から送出された避難姿勢の音声情報を受信して、該避難姿勢の音声情報に応じた音声を出力する。つまり、各警戒区域の音声警報装置は、同一警戒区域の火災感知器が検出したセンサレベルに対応した避難姿勢の音声を出力するので、各音声警報装置はその警戒区域の火災状況に応じた避難姿勢を報知でき、避難者はその音声を聞いて、各警戒区域で適宜適切な避難姿勢をとることができ、避難行動時の必要以上の負傷を防止できる。
【００１１】
請求項３記載の発明によれば、受信部は、避難姿勢の音声情報として避難姿勢のコードを送出するので、避難姿勢の音声情報の伝送時間が極めて短く、その他の火災情報の伝送の妨げにならない。
【００１２】
請求項４記載の発明によれば、各警戒区域の音声警報装置は、同一警戒区域の火災感知器が検出したセンサレベルに対応した避難姿勢の音声を出力するので、各音声警報装置はその警戒区域の火災状況に応じた避難姿勢を報知でき、避難者はその音声を聞いて、各警戒区域で適宜適切な避難姿勢をとることができ、避難行動時の必要以上の負傷を防止できる。また、受信部を介さずに、火災感知器が検出したセンサレベルを音声警報装置が直接受信するので、信号処理の簡略化や音声出力までのタイムラグを低減できる。
【発明を実施するための最良の形態】
【００１３】
図１は、本発明の一実施例を示す火災報知設備のシステム構成図である。
【００１４】
建物内の各警戒区域Ｒ（Ｒ１、Ｒ２、Ｒ３、Ｒ４）には、火災感知器Ｓ（Ｓ１、Ｓ２、Ｓ３、Ｓ４）と音声警報装置Ｖ（Ｖ１、Ｖ２、Ｖ３、Ｖ４）がそれぞれ設けられている。この火災感知器Ｓ１、Ｓ２、Ｓ３、Ｓ４と音声警報装置Ｖ１、Ｖ２、Ｖ３、Ｖ４には、それぞれ異なるアドレスＡＤ１１、ＡＤ１２、ＡＤ１３、ＡＤ１４、ＡＤ２１、ＡＤ２２、ＡＤ２３、ＡＤ２４が付与されており、この火災感知器Ｓと音声警報装置Ｖとが、信号線Ｌを介して、受信部としての火災受信機ＲＥと接続されて、火災報知設備を構成している。なお、この建物には、警戒区域Ｒ１の左側及び警戒区域Ｒ４の右側に非常口（図示せず）が設けられ、建物内で火災が発生した場合に、建物内の人は、それら非常口から建物外へ避難することができるようになっている。
【００１５】
火災感知器Ｓは、煙等の火災現象に関する物理量を検出し、該検出した物理量をセンサレベルとして出力するものであり、例えば、火災感知器Ｓとしての煙感知器は、無炎燻燃時の低い煙濃度から有炎延焼時の高い煙濃度までの広範囲の煙濃度に対応したセンサレベルを出力することができる。
【００１６】
図２は、火災受信機ＲＥのブロック構成図である。
【００１７】
火災受信機ＲＥは、火災受信機ＲＥ全体の制御を行うマイクロプロセッサＭＰＵ１０と、動作プログラム等を格納したＲＯＭ１１と、作業用のＲＡＭ１２と、センサレベルと比較される第１火災レベル、第２火災レベル、第３火災レベルを格納した火災レベル用メモリ１３とを備える。なお、火災レベル用メモリ１３において、第２火災レベルは第１火災レベルよりも高レベルであり、第３火災レベルは第２火災レベルよりも高レベルである。そして、第１火災レベルは火災発生の判別用であり、第２、第３火災レベルは火災発生時の火災進行状況の判別用である。
【００１８】
また、火災受信機ＲＥは、各警戒区域Ｒに対応して、設置された火災感知器Ｓと音声警報装置ＶのアドレスＡＤを格納した警戒区域・アドレス用メモリ１４と、信号線Ｌを介して火災感知器Ｓや音声警報装置Ｖとの間で信号の送受信を行う送受信回路１５と、音声警報装置Ｖから各種音声を出力させるために音声警報装置Ｖに送出される各種音声情報としての各種コードを格納したコード用メモリ１６とを備える。このコード用メモリ１６は、避難姿勢を示す音声情報としての避難姿勢用コードＰＣ、火災場所を示す音声情報としての火災場所用コードＡＣ、火災発生を示す音声情報としての火災発生用コードＦＣをそれぞれ格納しており、避難姿勢用コードＰＣとして、センサレベルが、第１火災レベル以上第２火災レベル未満の場合、第２火災レベル以上第３火災レベル未満の場合、第３火災レベル以上の場合に対応したコード番号００１〜００３が格納され、火災場所用コードＡＣとして、各警戒区域Ｒに対応したコード番号００４〜００７が格納され、火災発生用コードＦＣとしてコード番号００８が格納されている。
【００１９】
なお、マイクロプロセッサ１０は、火災感知器Ｓから受信したセンサレベルに対応する避難姿勢の音声情報として避難姿勢のコードを、音声警報装置Ｖに送出する手段である。
【００２０】
図３は、音声警報装置Ｖのブロック構成図である。
【００２１】
音声警報装置Ｖは、音声警報装置Ｖ全体の制御を行うマイクロプロセッサＭＰＵ３０と、動作プログラム等を格納したＲＯＭ３１と、作業用のＲＡＭ３２と、自己のアドレスＡＤを格納したアドレス用メモリ３３と、信号線Ｌを介して上記避難姿勢用コードＰＣと上記火災場所用コードＡＣと上記火災発生用コードＦＣとを、火災受信機ＲＥから受信する受信回路３４と、図３に示すように、上記避難姿勢用コードＰＣと上記火災場所用コードＡＣと上記火災発生用コードＦＣとに対応した音声データを記憶する音声合成回路３５と、音声合成回路３５が出力する音声信号のハイカット、ローカットを行うフィルタ３６と、増幅器３７と、音声合成回路３５から出力された音声信号に応じた音声を出力するスピーカ３８とを有する。なお、音声合成回路３５は、内蔵する音声データを合成して音声信号を出力するものである。
【００２２】
また、マイクロプロセッサＭＰＵ３０は、火災受信機ＲＥから受信した音声情報としての避難姿勢用コードＰＣと火災場所用コードＡＣと火災発生用コードＦＣとに対応する音声データを、音声合成回路３５から出力させる制御手段の例でもある。
【００２３】
次に、上記実施例の動作について説明する。
【００２４】
常時、火災受信機ＲＥのマイクロコンピュータＭＰＵ１０は、各火災感知器Ｓ１〜Ｓ４をそのアドレスＡＤに従って順次呼び出し、この呼び出しに応答した各火災感知器Ｓ１〜Ｓ４から送出されるセンサレベルを受信し、この受信したセンサレベルと第１〜第３火災レベルとを比較して火災判別することで、ポーリングによる火災監視を行っている。
【００２５】
ここで、たとえば、警戒区域Ｒ２で火災が発生したとすると、火災発生場所に設けられている火災感知器Ｓ２からのセンサレベルが第１火災レベル以上第２火災レベル未満となるため、火災受信機ＲＥのマイクロプロセッサＭＰＵ１０は、警戒区域Ｒ２で火災が発生したと判断し、信号線Ｌを介して、警戒区域Ｒ２に設置された音声警報装置Ｖ２に対して、音声警報装置Ｖ２のアドレスＡＤ２２と、警戒区域Ｒ２であることを示す火災場所用コードＡＣのコード番号「００５」と、火災発生を示す火災発生用コードＦＣのコード番号「００８」と、火災感知器Ｓ２のセンサレベル（第１火災レベル以上第２火災レベル未満）に対応した避難姿勢であることを示す避難姿勢用コードＰＣのコード番号「００１」による警報信号を送出する。
【００２６】
また、火災受信機ＲＥのマイクロプロセッサＭＰＵ１０は、信号線Ｌを介して、他の警戒区域Ｒ１、Ｒ３、Ｒ４に設置された音声警報装置Ｖ１、Ｖ３、Ｖ４に対して、各音声警報装置ＶのアドレスＡＤと、警戒区域Ｒ２であることを示す火災場所用コードＡＣのコード番号「００５」と、火災発生を示す火災発生用コードＦＣのコード番号「００８」とによる警報信号を送出する。
【００２７】
警報信号を受けた音声警報装置Ｖ２のマイクロプロセッサＭＰＵ３０は、自己のアドレスＡＤ２２宛であることを確認すると、受信機ＲＥから受信した火災場所用コードＡＣのコード番号「００５」に基づいて、音声合成回路３５から、「警戒区域Ｒ２から」の音声信号を出力させ、また、受信機ＲＥから受信した火災発生用コードＦＣのコード番号「００８」に基づいて、「火災が発生しました。避難してください」の音声信号を出力させ、さらに、受信機ＲＥから受信した避難姿勢用コードＰＣのコード番号「００１」に基づいて、「首を曲げて口に手などを当てて行動してください」の音声信号を出力させる。
【００２８】
音声合成回路３５は、図３に示すように、マイクロプロセッサＭＰＵ３０から示されるコードに対する音声データが各々格納されていて、その音声データによる音声信号をスピーカ３８へ出力する。この場合、マイクロプロセッサＭＰＵ３０は、まずコード番号「００５」を出力して上記「警戒区域Ｒ２から」の音声信号を音声合成回路３５から出力させ、この後に、コード番号「００８」を出力して上記「火災が発生しました。避難してください」の音声信号を音声合成回路３５から出力させ、その後に、コード番号「００１」を出力して上記「首を曲げて口に手などを当てて行動してください」の音声信号を音声合成回路３５から出力させる。つまり、音声合成回路３５は、「警戒区域Ｒ２から火災が発生しました。避難してください。首を曲げて口に手などを当てて行動してください」の音声信号を出力する。
【００２９】
このときに、マイクロプロセッサＭＰＵ３０は音声合成回路３５の動作状況を監視し、たとえば、「監視区域Ｒ２から」の音声信号の出力中は、音声合成回路３５がマイクロプロセッサＭＰＵ３０へビジー信号を出力する。そして、マイクロプロセッサＭＰＵ３０は、音声合成回路３５からのビジー信号終了時に、次のコード番号「００８」を出力して、連続的に「火災が発生しました。避難してください」を出力させる。このように、音声信号を重ねたり、音声を切り離すことを防止している。
【００３０】
このようにして、音声合成回路３５から出力された音声信号は、フィルタ３６、増幅器３７を経由し、スピーカ３８で音声に変換、出力される。
【００３１】
また、同様に、警報信号を受けた音声警報装置Ｖ１、Ｖ３、Ｖ４のマイクロプロセッサＭＰＵ３０は、自己のアドレスＡＤ宛であることを確認して、受信機ＲＥから受信した火災場所用コードＡＣのコード番号「００５」に基づいて、音声合成回路３５から、「警戒区域Ｒ２から」の音声信号を出力させ、また、受信機ＲＥから受信した火災発生用コードＦＣのコード番号「００８」に基づいて、「火災が発生しました。避難してください」の音声信号を出力させる。そして、音声合成回路３５から出力された「警戒区域Ｒ２から火災が発生しました。避難してください」という音声信号は、フィルタ３６、増幅器３７を経由し、スピーカ３８で音声に変換、出力される。
【００３２】
このように、建物内の全警戒区域Ｒ１〜Ｒ４の地区音響装置Ｖ１〜Ｖ４から火災の発生と火災発生場所とを報知する音声出力が行われるので、建物内の人は、建物内で火災が発生したこととその火災発生場所を知ることができ、迅速に避難行動を行うことができる。また、火災発生場所の地区音響装置Ｖ２からは、避難姿勢を報知する音声出力が行われるので、その警戒区域を通過するときに適切な避難姿勢をとることができ、パニックに陥り冷静でない状態であっても、煙に巻かれたりして、必要以上の負傷を負わなくなる。
【００３３】
なお、時間の経過とともに、警戒区域Ｒ２での火災が拡大して、例えば、火災感知器Ｓ２からのセンサレベルが第２火災レベル以上第３火災レベル未満、あるいは第３火災レベル以上となっても、火災受信機ＲＥから音声警報装置Ｖ２に対して、センサレベル（第２火災レベル以上第３火災レベル未満）に対応した避難姿勢であることを示す避難姿勢用コードＰＣのコード番号「００２」あるいはセンサレベル（第３火災レベル以上）に対応した避難姿勢であることを示す避難姿勢用コードＰＣのコード番号「００３」とを含む警報信号を送出するので、音声警報装置２２からは、「腰を曲げて頭をなるべく低くして行動してください」、あるいは、「頭を床面位置に保った状態で行動してください」という、この警戒区域Ｒ２の現在の火災状況（例えば、煙濃度）に対応した避難姿勢を報知する音声が出力される。
【００３４】
また、時間の経過とともに、例えば、警戒区域Ｒ２に隣接する警戒区域Ｒ１で火災が発生して、火災感知器Ｓ１からのセンサレベルが第１火災レベル以上第２火災レベル未満になっても、火災受信機ＲＥから音声警報装置Ｖ１に対して、センサレベル（第１火災レベル以上第２火災レベル未満）に対応した避難姿勢であることを示す避難姿勢用コードＰＣのコード番号「００１」を含む警報信号を送出するので、音声警報装置Ｖ１からは、「首を曲げて口に手などを当てて行動してください」という、この警戒区域Ｒ１の現在の火災状況に対応した避難姿勢を報知する音声が出力される。
【００３５】
そのため、火災発生から時間が経過して火災状況が刻々と変化しても、音声警報装置Ｖ１〜Ｖ４から、同一警戒区域Ｒ１〜Ｒ４の現在の火災状況に対応して、つまり、同一警戒区域Ｒ１〜Ｒ４の火災感知器Ｓ１〜Ｓ４のセンサレベルに対応して、適切な避難姿勢を報知する音声が出力されるので、建物内の人は、各警戒区域を通過するときに適切な避難姿勢をとることができ、パニックに陥り冷静でない状態であっても、煙に巻かれたりして、必要以上の負傷を負わなくなる。
【００３６】
上記実施例は、各種コードに対応した音声データを音声合成回路から取り出し、この取り出された音声データに応じた音声をスピーカが出力するので、火災警報を音声で聞いた者に不安が残らず、また、火災警報を音声で聞いた者がどのように対応することが好ましいかを的確に判断でき、しかも、火災受信機ＲＥから送られる各種音声情報はコードであるので、音声データそのものを火災受信機ＲＥが送出する場合と比較すると、その伝送時間が極めて短く、その他の火災情報の伝送の妨げにならない。
【００３７】
つまり、上記実施例においては、火災発生状況に応じて、たとえば火災発生用コードと火災場所用コードと避難姿勢用コードだけを、火災受信機ＲＥが送出すれば、各音声警報装置において、火災発生とその火災発生場所とそのときの避難姿勢が音声で出力され、しかも、火災発生用コードと火災場所用コードと避難姿勢用コードとの情報量が非常に少ないので、伝送が迅速に実行される。
【００３８】
なお、火災受信機ＲＥの上記動作を、中継器等の他の受信部が実行するようにしてもよい。特に、各音声警報装置に受信部を設けて、各音声警報装置が、同一警戒区域に設置された火災感知器のセンサレベルを受信して、このセンサレベルと各種火災レベルとを比較して火災判別を行い、センサレベルに対応して、避難姿勢を含む各種音声を出力するようにしてもよく、このときに音声警報装置と火災感知器とを一体に構成するようにしてもよい。これにより、受信部を介さずに、火災感知器が検出したセンサレベルを音声警報装置が直接受信するので、信号処理の簡略化や音声出力までのタイムラグを低減できる。
【００３９】
ところで、上記実施例では、火災受信機ＲＥは、各種音声情報をコードで送出するようにしているが、各種音声情報を音声データそのものの形で送出するようにしてもよい。このようにすれば、各種音声情報を伝送する時間が上記実施例よりも長くはなるが、音声データに応じた音声をスピーカが出力するので、火災警報を音声で聞いた者に不安が残らず、また、火災警報を音声で聞いた者がどのように対応することが好ましいかを的確に判断できるとともに、音声合成回路に格納していない音声を警報することができる。
【００４０】
また、上記実施例において、火災感知器と音声警報装置とは同一の信号線を介して火災受信機に接続されているが、別々の信号線を介して火災受信機に接続されてもよい。
【００４１】
また、上記実施例において、火災感知器Ｓは、煙等の火災現象に関する物理量を検出し、該検出した物理量をセンサレベルとして出力するものであったが、火災感知器Ｓが、上記第１火災レベル、第２火災レベル、第３火災レベル等の各種火災レベルを記憶しておき、検出した物理量が各種火災レベル以上であるかを判別して、第１火災レベル以上第２火災レベル未満であるときに第１火災レベル、第２火災レベル以上第３火災レベル未満であるときに第２火災レベル、第３火災レベル以上であるときに第３火災レベルを、センサレベルとして出力するようにしてもよい。
【００４２】
また、上記実施例において、火災感知器Ｓのセンサレベルが第３火災レベル以上のときに、避難姿勢の音声として、音声警報装置Ｖから、「頭を床面位置に保った状態で行動してください」との音声が出力されるが、このような高いセンサレベルの警戒区域は避難行動時に通過すること自体が危険であるので、例えば、「この区域には近寄らずに避難行動をしてください」というような避難行動の音声を出力するようにしてもよい。
【００４３】
また、上記実施例において、火災感知器Ｓのセンサレベルが第１火災レベル未満のときには、音声警報装置Ｖからは何も音声が出力されない。しかしながら、例えば、火災が発生する前に、建物内の人が例えば消火器による消火活動を行えば、火災を未然に防ぐことができ、そうすれば避難行動自体を行わずに済むようにすることができる。そのため、火災受信機ＲＥ又は音声警報装置Ｖにおいて、火災感知器Ｓのセンサレベルがプレ火災レベル以上第１火災レベル未満であることを判別できるようにして、そのときには、音声警報装置Ｖから、「消火器を使って消火活動を行ってください」との消火行動を教示する音声が出力されるようにしてもよい。
【００４４】
このように、音声警報装置Ｖが、火災感知器Ｓのセンサレベルに対応して、上記避難姿勢の音声の他に、上記避難行動及び消火活動の音声を出力するようにすると、火災発生の前後において、建物内の人が、パニックに陥り冷静さを失っている状態であっても、適切にあらゆる行動を行うことができる。
【図面の簡単な説明】
【００４５】
【図１】本発明の一実施例を示す火災報知設備のシステム構成図である。
【図２】火災受信機のブロック構成図である。
【図３】音声警報装置のブロック構成図である。
【符号の説明】
【００４６】
Ｒ…警戒区域
Ｓ…火災感知器
Ｖ…音声警報装置
Ｌ…信号線
ＲＥ…火災受信機
１６…コード用メモリ
３５…音声合成回路
【図１】
2005275509.tif 000003
【図２】
2005275509.tif 000004
【図３】
2005275509.tif 000005